(57)【要約】【課題】第１の端子部材と第２の端子部材との間に接続部材を介在されて第１の端子部材と第２の端子部材とを接続する端子接続構造に関し、第１の端子部材、及び、第２の端子部材、並びに、接続部材が腐食し難くし、第１の端子部材と第２の端子部材とを常に確実に接続できるようにした端子接続構造を提供することを目的とする。【解決手段】本考案は、第１の端子部材と第２の端子部材との間に接続部材を介在させて第１の端子部材と第２の端子部材とを接続する端子接続構造において、接続部材は、導電性ゴムから構成されており、第１の端子部材に係合し、第１の端子部材の接続部をシールする第１の係合部と、第２の端子部材に係合し、第２の端子部材の接続部をシールする第２の係合部とを有することを特徴とする。【選択図】図１
0003126621.tif 000002
【実用新案登録請求の範囲】
【請求項１】
第１の端子部材と第２の端子部材との間に接続部材を介在させて該第１の端子部材と該第２の端子部材とを接続する端子接続構造において、
前記接続部材は、導電性ゴムから構成されており、前記第１の端子部材に係合し、前記第１の端子部材の接続部をシールする第１の係合部と、
前記第２の端子部材に係合し、前記第２の端子部材の接続部をシールする第２の係合部とを有することを特徴とする端子接続構造。
【請求項２】
前記第１の端子部材は、凸部を有し、
前記第１の係合部は、前記凸部に係合する凹部と、
前記凹部の底面に形成され、前記凸部の端面に当接する接続部と、
前記凹部の内側面に形成され、前記凸部の側面の全周にわたって密着するシール部とを有することを特徴とする請求項１記載の端子接続構造。
【請求項３】
前記第２の端子部材は、凸部を有し、
前記第２の係合部は、前記凸部に係合する凹部と、
前記凹部の底面に形成され、前記凸部の端面に当接する接続部と、
前記凹部の内側面に形成され、前記凸部の側面の全周にわたって密着するシール部とを有することを特徴とする請求項１又は２記載の端子接続構造。
【請求項４】
前記接続部材は、前記第１の端子部材と前記第２の端子部材とで圧着されることを特徴とする請求項１記載の端子接続構造。
【請求項５】
前記接続部材は、前記第１の端子部材と前記第２の端子部材とでやり取りされる電流を所定の電流に調整する抵抗成分を有することを特徴とする請求項１記載の端子接続構造。
【考案の詳細な説明】
【技術分野】
【０００１】
本考案は端子接続構造に係り、特に、第１の端子部材と第２の端子部材との間に接続部材を介在されて第１の端子部材と第２の端子部材とを接続する端子接続構造に関する。
【背景技術】
【０００２】
自動車のバンパに取り付けられ、自動車の車体と周囲の物体との距離とを容易に目視できるようにした、いわゆる、コーナーポールがある（例えば、特許文献１参照）。
【０００３】
図８、図９はコーナーポールの動作を説明するための図を示す。
【０００４】
コーナーポール１０は、自動車２０のバンパ２１に取り付けられており、車庫入れ時には図８に示すように駆動装置２１により伸縮嵌合管２２を伸長させ、通常走行時には図９に示すように駆動装置２１により伸縮嵌合管２２を短縮させるようにしたものがある。
【０００５】
図１０はコーナーポールの斜視図を示す。
【０００６】
コーナーポール１０は、駆動装置２１、伸縮嵌合管２２、ドライブコード２３、照明部２４から構成される。伸縮嵌合管２２は、径の異なるｎ本の管体３１を伸縮可能に嵌合させた構成とされている。
【０００７】
ドライブコード２３は、導電ワイヤ４１の周囲に樹脂４２を被覆した構成とされ、樹脂４２には、全長にわたってラック４３が形成されている。また、可撓性線材１２の一端には端子部４４が取り付けられている。端子部４４は、ワイヤ４１に接続されており、照明部１４に接触して電源を供給する。
【０００８】
照明部２４は、伸縮嵌合管３１の最上段の管体に固定されている。可撓性線材１２は、駆動装置１３を貫通しており、駆動装置１３の内部で駆動機構に噛合し、駆動機構が駆動されることにより、矢印Ｚ１，Ｚ２方向に移動する。
【０００９】
図１１はコーナーポール１０の要部の断面図、図１２は照明部１４の構成図を示す。
【００１０】
照明部２４は、伸縮嵌合管１１を構成する管体３１の最先端に取り付けられており、図１１に示すように発光回路部５１、出射部５２、コイルバネ５３から構成されている。
【００１１】
発光回路部５１は、発光ダイオード６１、ツェナーダイオード６２、抵抗６３、ホルダ６４、ケース６５、端子部６６から構成されている。発光ダイオード６１及びダイオード６２並びに抵抗６３は、ホルダ６４に取り付けられて、半田付けされ、発光回路を構成している。ホルダ６４には、接地端子７１が一体に固定されており、発光回路の接地側の端子が接続されている。ホルダ６４は、ケース６５に収納される。
【００１２】
このとき、接地端子７１は、ケース６５の側面から外部に表出する。ケース６５を管体３１に収納することによって、接地端子７１が管体３１の内側面に接触する。
【００１３】
また、発光回路の電源側の端子、すなわち、抵抗６３の一方の端子は、ケース６５の底面から外部に延出し、端子部６６に挿入されて、端子部６６に半田付けされる。これによって、ホルダ６４がケース６５に保持される。
【００１４】
ケース６５は、伸縮嵌合管１１を構成する管体３１の最先端の管体３１にコイルバネ５３を介して挿入される。コイルバネ５３は、一端が可撓性線材１２の端子部４４に接触し、他端が端子部６６に接触する。
【００１５】
このとき、コイルバネ５３は、端子部４４と端子部６６との間でわずかに圧縮される。これによって、コイルバネ５３は、端子部４４と端子部６６とを確実に接続する。
【００１６】
出射部５２は、透明の樹脂を成型した構成とされており、伸縮嵌合管１１を構成する管体３１の最先端の管体３１に取り付けられ、最先端の管体３１を絞り加工することにより固定される。出射部５２には、発光回路部５１を構成する発光ダイオード６１から光が供給されている。出射部５２は、発光ダイオード６１から出射された光を拡散し、外部に出射する。
【００１７】
なお、出射部５２と管体３１との間には、Ｏリング６７が挿入され、管体３１の内部への水分や塵埃の侵入を防止している。
【特許文献１】特開2001-169595号公報
【考案の開示】
【考案が解決しようとする課題】
【００１８】
しかるに、従来のコーナーポールのドライブコードと発光回路部との電気的接続は、金属性のコイルバネを圧縮することにより行われていた。しかし、コーナーポールは、車両にバンパに取り付けられた風雨にさらされるため、内部に水分が侵入しやすい。
【００１９】
このため、コイルバネが腐食しやすい。コイルバネが腐食すると、発光回路部５１に電源を供給するドライブコード２３の端子部４４と発光回路部５１の端子部６６との接続が切断され、発光ダイオード６１に電源が供給されず、発光ダイオード６１が発光しなくなるおそれがあった。
【００２０】
本考案は上記の点に鑑みてなされたもので、第１の端子部材、及び、第２の端子部材、並びに、接続部材が腐食し難くし、第１の端子部材と第２の端子部材とを常に確実に接続できるようにした端子接続構造を提供することを目的とする。
【課題を解決するための手段】
【００２１】
本考案は、第１の端子部材と第２の端子部材との間に接続部材を介在させて第１の端子部材と第２の端子部材とを接続する端子接続構造において、接続部材は導電性ゴムから構成されており、第１の端子部材に係合し、第１の端子部材の接続部をシールする第１の係合部と、第２の端子部材に係合し、第２の端子部材の接続部をシールする第２の係合部とを有することを特徴とする。
【００２２】
また、第１の端子部材は凸部を有し、第１の係合部は凸部に係合する凹部と、凹部の底面に形成され、凸部の端面に当接する接続部と、凹部の内側面に形成され、凸部の側面の全周にわたって密着するシール部とを有することを特徴とする。また、第２の端子部材は凸部を有し、第２の係合部は凸部に係合する凹部と、凹部の底面に形成され、凸部の端面に当接する接続部と、凹部の内側面に形成され、凸部の側面の全周にわたって密着するシール部とを有することを特徴とする。接続部材は、第１の端子部材と第２の端子部材とで圧着されることを特徴とする。
【００２３】
また、接続部材は、第１の端子部材と第２の端子部材とでやり取りされる電流を所定の電流に調整する抵抗成分を有することを特徴とする。
【考案の効果】
【００２４】
本考案によれば、導電性ゴムから構成され、第１の端子部材に係合し、第１の端子部材の接続部をシールする第１の係合部と、第２の端子部材に係合し、第２の端子部材の接続部をシールする第２の係合部とを有する接続部材により第１の端子部材と第２の端子部材とを接続することにより、接続部材により第１の端子部材及び第２の端子部材との接触部分をシールすることができ、接触部分の防水性、防塵性を向上させることができ、よって、腐食を防止できるため、第１の端子部材と第２の端子部材とを接続部材を介して長期にわたって接続を維持できる。
【考案を実施するための最良の形態】
【００２５】
図１、図２は本考案の一実施例の要部の断面構成図、図３は本考案の一実施例の要部の分解斜視図、図４は本考案の一実施例の要部の等価回路図を示す。同図中、図１０、図１１と同一構成部分には同一符号を付し、その説明は省略する。
【００２６】
本実施例のコーナーポール１００は、コイルバネ５３に代えて導電性ゴム１１１を装着した構成とされている。導電性ゴム１１１は、ゴム材、樹脂材からなる基材に導電材料を配合したもので、ゴム様の弾性を有しながらも導電性を有するものである。
【００２７】
図５は導電性ゴム１１１の構成図を示す。
【００２８】
導電性ゴム１１１は、第１の接続部１２１、第２の接続１２２から構成されている。
【００２９】
第１の接続部１２１は、有底、円筒形状をなし、端子部６６に係合する形状とされており、その内側面にはシール部１３１がリング状に形成され、底面には円柱状に凸部１３２が形成されている。
【００３０】
シール部１３１は、第１の接続部１２１を端子部６６に接続したときに、端子部６６の側面、全周にわたって接触し、端子部６６の先端部をシールする。
【００３１】
また、導電性ゴム１１１が矢印Ｚ１、Ｚ２方向に押圧されたときに第１の接続部１２１の周縁部１３３が端子部６６の周縁部に押圧されて、端子部６６をシールする。
【００３２】
凸部１３２は、導電性ゴム１１１が矢印Ｚ２方向に押圧されたときに端子部６６の先端が押圧されて、端子部６６を導電性ゴム１１１に接触する。このとき、凸部１３２は、第１の接続部１２１の底面に設けられており、第１の接続部１２１の周縁部１３３及びシール部１３１によりシールされた部分に配置されているので、端子部６６が腐食することを防止できる。また、端子部６６と凸部１３２との間に塵埃などが侵入することを防止できる。よって、導電性ゴム１１１と端子部６６との接続を長期にわたって確実に行うことができる。
【００３３】
第２の接続部１２２は、有底、角筒状をなし、端子部４４に係合する形状とされており、その内側面にはシール部１４１がリング状に形成され、底面には円柱状に凸部１４２が形成されている。
【００３４】
シール部１４１は、第２の接続部１２２を端子部４４に接続したときに、端子部４４の側面、全周にわたって接触し、端子部４４の先端部をシールする。
【００３５】
また、導電性ゴム１１１が矢印Ｚ１、Ｚ２方向に押圧されたときに第２の接続部１２２の周縁部１４３が端子部６６の周縁部に押圧されて、端子部６６をシールする。
【００３６】
凸部１３２は、導電性ゴム１１１が矢印Ｚ２方向に押圧されたときに端子部６６の先端が押圧されて、端子部６６を導電性ゴム１１１に接続する。このとき、凸部１３２は、第１の接続部１２１の底面に設けられており、第１の接続部１２１の周縁部１４３及びシール部１３１によりシールされた部分に配置されているので、端子部４４が腐食することを防止できる。また、端子部６６と凸部１３２との間に塵埃などが侵入することを防止できる。よって、導電性ゴム１１１と端子部６６との接続を長期にわたって確実に行うことができる。
【００３７】
本実施例によれば、コイルバネ５３に代えて導電性ゴム１１１を用いることにより導電性ゴム１１１が腐食しにくいことから端子部４４と端子部６６との接続を長期間にわたって維持できる。また、端子部４４及び端子部６６と導電性ゴム１１１との接触部分をシールすることができるため、端子部４４及び端子部６６の導電性ゴム１１１との接触部分をシールでき、防水性、防塵性を高めることができるため、端子部４４及び端子部６６の腐食を防止できる。よって、端子部４４と端子部６６との接続を長期にわたって維持することができる。
【００３８】
本実施例は、導電性ゴム１１１の抵抗を比較的低く設定し、抵抗６３を設けて、印加電圧を低減しているが、導電性ゴム１１１の導電材の割合を低下させることにより、導電性ゴム１１１の抵抗を大きくして、抵抗６３を削除するようにしてもよい。これによって、部品点数を削減できるとともに、発光回路部５１を小型化することができる。このように、導電性ゴム１１１に含まれる導電材を調整することにより、導電性ゴム１１１の抵抗成分を調整でき、よって、発光ダイオード６１に供給する電流を調整することができる。
【００３９】
図６は本考案の一実施例の変形例の要部の断面図、図７は本考案の一実施例の変形例の等価回路図を示す。
【００４０】
本変形例は、導電性ゴム１１１の導電材の割合を低下させることにより、導電性ゴム１１１の抵抗を大きくして、抵抗６３を削除した。これによって、図６に示すように抵抗６３のスペースを削減でき、小型化が可能となる。また、図７に示すように構成部品を削減でき、安価に製造することができる。
【００４１】
なお、本実施例では、導電性ゴム１１１を押圧することにより、端子部４４及び端子部６６に固定したが、導電性接着剤などにより接着することにより固定するようにしてもよい。
【００４２】
なお、上記本考案は、上記実施例に限定されるものではなく、本考案の要旨を逸脱しない範囲で種々の変形例が考えられる。
【図面の簡単な説明】
【００４３】
【図１】本考案の一実施例の構成図である。
【図２】本考案の一実施例の要部の断面構成図である。
【図３】本考案の一実施例の要部の分解斜視図である。
【図４】本考案の一実施例の等価回路図である。
【図５】導電性ゴム１１１の構成図である。
【図６】本考案の一実施例の変形例の要部の断面構成図である。
【図７】本考案の一実施例の変形例の等価回路図である。
【図８】コーナーポールの動作を説明するための図である。
【図９】コーナーポールの動作を説明するための図である。
【図１０】コーナーポールの斜視図である。
【図１１】コーナーポール１０の要部の断面図である。
【図１２】照明部１４の構成図である。
【符号の説明】
【００４４】
１００  コーナーポール
２１  駆動装置、２２  伸縮嵌合管、２３  ドライブコード、２４  照明部
３１  管体
４１  導電ワイヤ、４２  樹脂、４３  ラック、４４、６６  端子部
５１  発光回路部、５２  出射部
６１  発光ダイオード、６２  ツェナーダイオード、６３  抵抗
６４  ホルダ、６５  ケース、６７  Ｏリング
１００  コーナーポール
１１１  導電性ゴム
１２１  第１の接続部、１２２  第２の接続部
１３１、１４１  凸部、１３２、１４２  シール部、１３３、１４３  周縁部
【図１】
0003126621.tif 000003
【図２】
0003126621.tif 000004
【図３】
0003126621.tif 000005
【図４】
0003126621.tif 000006
【図５】
0003126621.tif 000007
【図６】
0003126621.tif 000008
【図７】
0003126621.tif 000009
【図８】
0003126621.tif 000010
【図９】
0003126621.tif 000011
【図１０】
0003126621.tif 000012
【図１１】
0003126621.tif 000013
【図１２】
0003126621.tif 000014